(57)【要約】【課題】広範な観察範囲を対比しながら撮像範囲を特定でき、カメラ自体の状態表示が可能なデジタルカメラを提供すること。【解決手段】撮影光学系を有する撮像手段により撮像される画像をデジタルデータの画像情報に変換し、該画像情報を記憶媒体に記憶して保存するデジタルカメラ１０が、撮像手段により撮像できる撮像範囲の画枠を規定する画枠電子画像を表示する画像表示部２０と、画像表示部２０からの光を反射するとともに撮影者の視線方向の実視野からの光を透過するコンバイナー３０とを備え、コンバイナー３０には、状態表示用の発光体３２が設けられている。【選択図】図１
2006146086.tif 000002
【特許請求の範囲】
【請求項１】
撮影光学系を有する撮像手段により撮像される画像をデジタルデータの画像情報に変換し、該画像情報を記憶媒体に記憶して保存する携帯情報端末であって、
前記撮像手段により撮像できる撮像範囲の画枠を規定する画枠電子画像を表示する画像表示部と、
該画像表示部からの光を反射するとともに撮影者の視線方向の実視野からの光を透過する半透過型光学素子とを備え、
前記半透過型光学素子に状態表示用の発光手段を設けたことを特徴とする携帯情報端末。
【請求項２】
前記発光手段が、被写体側から視認可能な位置に設けられていることを特徴とする請求項１に記載の携帯情報端末。
【請求項３】
前記発光手段が、撮影者側及び被写体側から視認可能な位置に設けられていることを特徴とする請求項１に記載の携帯情報端末。
【発明の詳細な説明】
【技術分野】
【０００１】
本発明は、静止画や動画を撮影できるデジタルカメラ機能を備えている携帯情報端末に係り、特に、実視野中に撮影可能範囲を表示して所望の撮影範囲を撮影できるデジタルカメラ及びデジタルカメラ機能を備えた携帯情報端末に関する。
【背景技術】
【０００２】
近年、従来の銀塩カメラに代わり、ＣＣＤやＭＯＳなどの光に反応する半導体素子を使って映像を電気信号に変換し、デジタルデータとしてフラッシュメモリなどの記憶媒体に記憶するデジタルカメラが広く普及している。また、このようなデジタルカメラを携帯電話機等に組み合わせたような携帯情報端末も普及している。デジタルカメラとしては、従来より一眼レフタイプのデジタルカメラが知られている。（例えば、特許文献１参照）
しかしながら、このような一眼レフタイプのデジタルカメラは、撮影光学系（レンズ→ＣＣＤ）とファインダ光学系とを共用するため、レンズ配置などカメラ構成が複雑になるという問題を有している。また、ファインダにより視界が物理的に制限されるため、撮影時の視界が狭くなるという問題もある。さらに、ファインダを介した視野には、光学的な変倍を受けるので、実際の視野とは異なるものを見ているという問題もある。
【０００３】
一方、電子ビューファインダ（液晶画面）を備えたデジタルカメラにおいては、光学ファインダを廃止したものが知られている。
しかしながら、このようなデジタルカメラの場合、実視野中の撮影範囲以外の部分は、ファインダ越しに確認することができないという問題がある。さらに、撮像方向と視線方向とが一致しないという問題もある。
従来、これらの問題を解決するために、光学ファインダ光学系と、電子ビューファインダ光学系とを設け、ハーフミラーでそれぞれの光学系を切り替えられるようにしたデジタルカメラが提案されている。（例えば、特許文献２参照）
【特許文献１】特開平１１−８４４７９号公報
【特許文献２】特開２００３−２８３８８６号公報（図２及び段落番号〔００１２〕〜〔００２１〕等を参照）
【発明の開示】
【発明が解決しようとする課題】
【０００４】
しかし、上述した特許文献２に記載のデジタルカメラでは、ファインダにより物理的に視界が制限されるという問題は解消されず、また、実視野の風景と、電子ビューファインダに表示された電子画像とを重畳して表示するものではない。
このような背景から、実視野中に実際の撮影範囲を重畳することにより、実視野全体を観察及び確認しながら所望の撮影範囲を撮影することができるデジタルカメラ及びデジタルカメラ機能を備えた携帯情報端末の開発が望まれる。
また、このようなデジタルカメラを備えた携帯情報端末においては、広範な観察範囲を自然に観察することができ、しかも、広範な観察範囲を対比しながら所望の撮像範囲を特定して撮影できるとともに、たとえば撮影状態を被写体側でも認識できるなど、デジタルカメラの状態表示が望まれる。
【０００５】
本発明は、上記の事情に鑑みてなされたものであり、その目的とするところは、実視野全体を自然に確認しながら所望の撮影範囲を撮影することができ、特に、広範な観察範囲を対比しながら撮像範囲を特定でき、しかも、カメラ自体の状態表示が可能な携帯情報端末を提供することにある。
【課題を解決するための手段】
【０００６】
本発明は、上記の課題を解決するため、下記の手段を採用した。
本発明は、撮影光学系を有する撮像手段により撮像される画像をデジタルデータの画像情報に変換し、該画像情報を記憶媒体に記憶して保存する携帯情報端末であって、
前記撮像手段により撮像できる撮像範囲の画枠を規定する画枠電子画像を表示する画像表示部と、該画像表示部からの光を反射するとともに撮影者の視線方向の実視野からの光を透過する半透過型光学素子とを備え、前記半透過型光学素子に状態表示用の発光手段を設けたことを特徴とするものである。
なお、本発明の携帯情報端末は、デジタルカメラ単体及びデジタルカメラ機能を備えた携帯電話機等の情報端末機器類を包含し、この場合の画枠電子画像は、デジタルカメラ機能のズーム操作等に応じて適宜変化するものである。
【０００７】
このような携帯情報端末とすれば、撮影者は半透過型光学素子を通して広範な観察範囲（外界像の実像）を自然に観察することができ、その実視野には画像表示部に表示された画枠電子画像の虚像が重畳される。そして、半透過型光学素子に設けた発光手段が実視野上で発光してその発光状況（点滅等の発光パターンや発光色等）により携帯情報端末の状態（撮影待機状態や撮影可能状態等）を撮影者、被撮影者または撮影場所近傍にいる第３者が把握することができる。
【０００８】
上記の携帯情報端末においては、前記発光手段が、被写体側から視認可能な位置に設けられていることが好ましく、これにより、被写体側において携帯端末の撮影状態を容易に視認して撮影を行うことができる。
さらに、上記の携帯情報端末においては、前記発光手段が、撮影者側及び被写体側から視認可能な位置に設けられていることが好ましく、これにより、撮影者は画枠と携帯情報端末の状態との双方を容易に把握でき、同時に、被撮影者も撮影状態を容易に視認することができる。
【発明の効果】
【０００９】
上述した本発明の携帯情報端末によれば、撮影者は、コンバイナーのような半透過型光学素子を通して広範な観察範囲の実像を自然に観察し、かつ、半透過型光学素子に設けた発光手段が実視野上で発光する発光状況を視認してデジタルカメラ機能を備えた携帯情報端末の状態を把握し、実視野に重畳される画枠電子画像の虚像により所望の撮像範囲（画枠）を容易に認識して撮像することができる。このため、従来のファインダーを通した撮影とは異なり、撮影者は字を読むなど目に負担をかけることなく、発光状況から直感的に携帯情報端末の状態を把握するとともに、撮像対象を直接見ながら所望の撮像範囲を直感的に設定して撮影することができるようになる。
また、発光手段の発光状況を被写体側からも視認可能にすれば、撮影者及び被写体側の両方が携帯情報端末の撮影状態を容易に視認して撮影することができるので、被写体側の撮影に対応する準備が容易になって撮影の失敗等を低減することができる。
【発明を実施するための最良の形態】
【００１０】
以下、本発明に係る携帯情報端末の一実施形態を図面に基づいて説明する。
図１及び図２は、本発明に係る携帯情報端末としてデジタルカメラ単体の構成例を示す外観斜視図であり、図１（ａ）は撮影時の状態、図１（ｂ）は撮影時の画枠表示例、図２は非撮影時の格納状態を示している。
デジタルカメラ１０は、各種レンズ等を組み合わせた撮影光学系を介して撮像する画像（静止画または動画）をＣＣＤやＭＯＳ等の半導体素子（撮像手段）を介してデジタルデータの画像情報に変換し、この画像情報をフラッシュメモリ等の記憶媒体に記憶して保存するように構成されている。デジタルカメラ１０の本体１１には、撮影時に本体１１から取り出して使用する開閉式の画像表示装置２０及び半透過型光学素子であるコンバイナー３０が設けられている。このように構成されたデジタルカメラ１０は、図３及び図４に示すように、画像表示装置２０及びコンバイナー３０を開き、本体適所を撮影者の側頭部に押し当てた状態でコンバイナー３０を通して撮影対象を見ながら撮影する。
【００１１】
本体１１は、撮影光学系を有する半導体素子、電池（電源）、各種制御機構及び制御基板等を内蔵した筐体１２の外部に、撮影光学系を構成する撮影レンズ１３の他、シャッタースイッチ１４、ズーム操作部１５ａ，１５ｂ及び電源スイッチ１６等、各種の操作スイッチ類を備えている。図示の例では、左右どちらの手でも操作できるようにするため、シャッタースイッチ１４及びズーム操作部１５ａ，１５ｂを本体１１の上下両側面部に設けてあるが、図１（ａ）には左手操作用が示されている。このような本体１１に対し、撮影時には略Ｚ字状に開いて使用する画像表示装置２０及びコンバイナー３０が揺動自在に取り付けられている。
なお、図示の画像表示装置２０及びコンバイナー３０は、格納状態で本体１１を貫通する開口部１１ａの空間部に収納され、それぞれが矩形状とした短辺側の一辺を本体１１に軸支されて揺動による開閉動作が可能とされる。
【００１２】
画像表示装置２０は、撮影レンズ１３を介して撮像手段により撮像される撮像範囲の画枠を規定するため、撮像可能な撮影範囲の画枠電子画像を表示面２１に表示する画像表示部であり、たとえば液晶表示パネル（ＬＣＤ）や有機ＥＬ表示パネル等のいわゆる薄型ディスプレイが用いられる。この画像表示装置２０は、たとえば本体１１に軸支されている支持部材２２に固定され、その表示面２１は、後述するコンバイナー３０と格納状態で対向する面に、すなわち筐体１２の内側に向けられている。
表示面２１に表示される画枠電子画像は、ズーム操作部１５ａ，１５ｂ等の操作に連動して、たとえば広角撮影時のように広範囲の被写体を撮像するワイドな遠景撮影から、所望の被写体をズームアップする望遠撮影時まで、撮影者のズーミング操作に応じて変化する撮像範囲が画像表示装置２０に表示されたものである。
【００１３】
ここで表示する画枠電子画像は、たとえば図５に示すように、一対の画枠線Ｌ１１，Ｒ１１により画枠の上下及び左右を規定する。この画枠線Ｌ１１，Ｒ１１は、間隔をもって対向する平行な左右一対の鉛直線と、その両端部から中央側へ向けて直角に延びる水平線とを表示したものであり、撮影者は、画枠線Ｌ１１，Ｒ１１に囲まれた矩形の領域を画枠として認識することができる。なお、図示の画枠線Ｌ１１，Ｒ１１については、水平線の中央部は分断されているが、左右の鉛直線を連結する水平線とすることで完全な矩形の画枠を表示してもよい。
また、上述した一対の画枠線Ｌ１１，Ｒ１１は広角撮影時の最大画枠を示しており、撮影者がズーミング操作することにより、表示面２１の中心部側へ向けて、図中に想像線で示す画枠線Ｌ１２，Ｌ１２、Ｌ１３，Ｒ１３のように上下及び左右の四方向が段階的に変化して、あるいは無段階の連続した変化をして、最もズームアップした最小画枠の画枠線Ｌ１３，Ｒ１３まで縮小するようになっている。なお、このような画枠変化は、見える範囲と写る範囲とのズレを補正しない場合、すなわちパララックス補正を行わない場合である。
【００１４】
コンバイナー３０は、画像表示装置２０からの光、すなわち画像表示装置２０の表面表示部２１に表示される画像の光を反射するとともに、撮影者の視線方向の実視野からの光を透過する半透過型光学素子である。換言すれば、コンバイナー３０は、少なくとも１面に自由曲面（３次元非球面）を有し、実視野となる外界像（実像）を透過するとともに、画像表示装置２０に表示された画枠電子画像を光学的に虚像として投影し、外界像の実像に画枠電子画像の虚像を重畳的に表示する半透過型光学素子である。
【００１５】
ここで、図４に基づいてコンバイナー３０の構成を具体的に説明する。
このコンバイナー３０は、格納状態で表面表示部２１と対向する面に凹曲面状の反射面３１を有する部材であって、撮影時には、この反射面３１と表面表示部２１とが略対向し、かつ、本体１１とともに略Ｚ字状を形成するように開かれている。この撮影状態では、開口部１１ａを通じて画像表示装置２０の表面表示部２１から斜め前方へ向けて画枠電子画像の光が出され、この光（画枠電子画像）は、反射面３１によって本体１１の後端部側（撮影者の頭部側）へ向けて反射される。
【００１６】
この反射面３１は凹面鏡として機能するため、本体１１の後端部側となる側面を撮影者の頭側部に押し当てた撮影状態では、コンバイナー３０の前方に、すなわち、撮影者から見てコンバイナー３０よりも遠方に、画枠電子画像の虚像が結像して表示される。
また、コンバイナー３０において、反射面３１が形成される領域は、撮影者の実視界からの光を透過させる構成とされるため、撮影者は、コンバイナー３０を通して視線方向遠方の景色を実像として視認できるようになっている。
【００１７】
本実施形態では、コンバイナー３０は、アクリルやポリカーボネート等の透明な材質からなる略長方形の曲面板状部材であって、その片面側に形成された金属膜等の反射層がハーフミラーとして機能する。この反射層の表面が、画像表示装置２０の表面表示部２１から入射した画枠電子画像等の光線を表面で反射させる反射面３１となる。
なお、コンバイナー３０は、図示しないヒンジ等を用い、本体１１に対して揺動自在に軸支されている。
【００１８】
さて、本発明では、上述したコンバイナー３０の適所に発光手段として発光体３２を埋設するなど、一体化して設けた構成とされる。この発光体３２としては、たとえば発光ダイオード（ＬＥＤ）のように小型で消費電力の小さいものが好ましい。なお、コンバイナー３０に設ける発光体３２は、発光状態や表示したい項目数等に応じて、１個または複数個設置することができる。また、発光体３２の発光色については、適宜選択することができる。
以下の実施形態では、図７（ａ）に示すように、発光体３２がコンバイナー３０の軸支側端部に設置された場合について説明する。
【００１９】
図７（ａ）に示す発光体３２は、本体１１側との配線処理が容易になるため、コンバイナー３０の軸支側端部中央付近に埋設されている。この位置に発光体３２を埋設することにより、発光時には発光体３２自体が発光色に変化するだけでなく、発光強度に応じて発光体３２の周辺からコンバイナー３０の全面にわたって発光色に変化する。すなわち、発光体３２の発光強度を高くすればするほど、透明な材質よりなるコンバイナー３０の全面が明確に変色して発光するので、撮影者がコンバイナー３０を通して実視野とともに発光状態を視認できるだけでなく、被撮影者側からも発光体３２及びコンバイナー３０の発光状態を視認することができる。
【００２０】
このような発光体３２の発光制御は、図６のブロック図に示す制御部４０により行われる。この制御部４０は、状態監視部４１と発光制御部４２とを具備して構成される。
状態監視部４１は、デジタルカメラ１０の各種状態を監視して発光制御部４２に状態信号を出力する機能を有している。この状態監視部４１では、デジタルカメラ１０の電源スイッチ１６、シャッタースイッチ１４、ズーム操作部１５ａ，１５ｂ等の各種操作スイッチ類に関する操作情報、オートフォーカスの動作に関する情報、図示しない電池（電源）の充電状態（残量）や記憶媒体の撮影可能枚数（保存状況）等に関する情報等を集め、デジタルカメラ１０の状態信号として発光制御部４２に出力する。
発光制御部４２は、状態監視部４１から入力された状態信号に基づいて、発光体３２を所定のパターンで発光させる発光制御を実施する。この発光パターンには、発光または消光の選択切替、連続発光、点滅発光及び点滅速度等の選択切替、発光色の選択切替、発光強度の変化及びこれらの組み合わせがあり、各種の状態信号に対応させて予め定められている。
【００２１】
以下、上述した発光体３２の具体的な使用（発光）例を説明する。
まず最初に、上述した発光体３２は、デジタルカメラ１０の電源スイッチ１６をＯＮとした場合に所定のパターンで発光し、スイッチ操作が確実に完了したことを撮影者に認識させるために使用される。この場合の発光は、電源スイッチ１６のＯＮと同時に発光を開始し、電源スイッチ１６がＯＦＦとされるまで発光を継続して、デジタルカメラ１０の電源が入ったＯＮ状態にあることを表示する。このような電源ＯＮの状態は、複数色の発光体３２を設置して所定の発光色（たとえば橙色や緑色等）で表示することが好ましい。
なお、このような電源スイッチ１６をＯＮとした場合の発光については、たとえばタイマーを設けて予め設定した所定時間が経過した時点で消光するようにしてもよいし、あるいは、所定の間隔で発光及び消光を繰り返す点滅としてもよい。
【００２２】
次に、発光体３２をデジタルカメラ１０の撮影可否状態に応じた所定の発光パターンで発光をさせることにより、撮影者または被撮影者の少なくとも一方に現状を認識させることができる。なお、以下の説明では、撮影者及び被撮影者の両方を総称して使用者と呼ぶこととし、上述した発光体３２は、使用者から視認可能な位置に設置されている。
撮影可否状態の表示に関する具体例としては、大きくは撮影可能状態と撮影不可能状態とに区別して発光する。
【００２３】
一方の撮影可能状態では、デジタルカメラ１０が撮影可能な場合に所定のパターンで発光して使用者に現状を認識させる。この発光は、制御部１０の状態監視４１が撮影可能な諸条件を満たしていると判断した場合、発光制御部４２に発光信号を出力してなされる。撮影可能状態を示す発光パターンとしては、撮影可能状態が続く限り継続して、所定の発光色（たとえば緑色等）で連続した発光をしたり、あるいは、所定の間隔で発光及び消光を繰り返す点滅としてもよい。
なお、撮影可能状態になった場合には所定の発光パターンで発光を開始し、タイマーにより発光開始から所定時間のみ発光または点滅発光するようにしてもよい。
【００２４】
また、撮影不可能状態になった場合には、上述した撮影可能状態の発光を停止して消光してもよいし、あるいは、発光体３２が所定の発光色（たとえば赤色等）に変化するようにしてもよい。撮影不可状態の具体例をあげると、たとえば電源スイッチＯＮ直後の起動準備期間、最初の撮影完了後にデジタルカメラ１０内で行われる画像データの保存やモード切替など次の撮影が可能になるまで時間を要する待機時間等がある。
この結果、使用者は、デジタルカメラ１０が撮影状態にあることを容易かつ確実に認識して撮影を行うことができる。なお、撮影不可能状態で所定の発光をさせ、撮影可能状態では消光するようにしてもよい。
【００２５】
上述した発光表示の他、発光体３２の発光は、ズーム操作、オートフォーカス、撮影可能残量、電池の充電残量等についても使用者に状況を認識させることができる。
ズーム操作時の発光パターンとしては、たとえばズーム操作の向きに合わせて所定の発光を行って表示する。具体例をあげると、ズーム操作により被写体を拡大する方向のズーム操作と、反対に撮影範囲を広げる方向のズーム操作とを異なる発光色（たとえば黄色／青色等）に設定したり、あるいは、ズーム操作の方向に応じて点滅速度や発光強度を変化させて表示してもよい。
また、オートフォーカス時の発光パターンとしては、たとえばオートフォーカスが完了した時点で所定の発光パターンによる発光をさせて表示すればよい。
【００２６】
また、撮影可能残量の表示については、所定の発光パターンで発光させることにより、記憶媒体の残量等に関する状況を、特に撮影者に対して強く認識させるものである。この場合の発光パターンは、実際の記憶媒体残量に応じて発光する場合、たとえば記憶媒体のフル残量時には発光色を緑色とし、残量が半分で黄色、残量が所定値以下の少量（たとえば５枚分以下）では赤色に変色するようにしてもよいし、あるいは、残量に応じて発光強度を変化させてもよい。
なお、電源をＯＮとした時、その時点における記憶媒体の残量に応じて所定の発光パターンで発光してもよい。
【００２７】
また、電池の充電残量についても、所定の発光パターンで発光させ、特に撮影者に対して強く認識させるものである。この場合の発光パターンは、実際の充電残量に応じて発光する場合には、たとえばフル残量時には発光色を緑色とし、残量が半分で黄色、残量が所定値（たとえば１／５程度）以下では赤色に変色するようにしてもよいし、あるいは、残量に応じて発光強度を変化させてもよい。
なお、電源の充電状態が所定値以下となった場合に赤色に発光して警告したり、あるいは、電源をＯＮとした時、その時点における充電残量に応じて所定の発光パターンで発光してもよい。
【００２８】
ところで、上述した実施形態では発光体３２がコンバイナー３０の軸支側端部中央付近に設けられているものとしたが、これに限定されることはなく、種々の変形例や他の実施形態が可能である。
図７（ｂ）に示す第１の実施形態に係る変形例では、コンバイナー３０の軸支側端部にテーパ光路部３３を設け、テーパ光路部３３の最も狭い部分（図示の例では下端部側）にＬＥＤ等の発光体３２を設置している。このような構成とすれば、小型の発光体３２を採用した場合でも、発光体３２から最も遠い位置まで十分に光量を確保できるようになるので、コンバイナー３０の全面からほぼ均等に発光させることができる。
【００２９】
次に、発光体に関する第２の実施形態として、細長い線状の発光体（線光源）３２Ａを採用した構成例を図８（ａ）に示す。この実施形態において、図８（ａ）では、矩形形状としたコンバイナー３０の一辺に沿って直線状の発光体３２Ａが設けられている。このような構成とすれば、発光体３２Ａの発光面積が増すため遠方の被写体側からも容易に視認できるようになり、さらに、矩形形状としたコンバイナー３０の全体に発光体３２Ａの発光が略均等に到達するようになるので、全面を略均等に発光させることができる。なお、線状の発光体３２Ａは、図８（ｂ）に示す第１変形例のように、矩形状としたコンバイナー３０の上端部側のみに設けた構成、図８（ｃ）に示す第２変形例のように、矩形状としたコンバイナー３０の下端部側のみに設けた構成、あるいは、図８（ｄ）に示す第３変形例のように、矩形状としたコンバイナー３０の上上下両端部側に設けた構成など、諸条件に応じて適宜選択することが可能である。
また、図８（ｅ）に示す第４変形例では、楕円形状としたコンバイナー３２Ａの外周部に沿って、細長い線状の発光体３２Ａが曲線状に設けられている。このような構成とすれば、発光体３２Ａがコンバイナー３２Ａの周囲を囲むように設けられて発光面積が増すため、遠方の被写体側からも容易に視認できるようになり、しかも、楕円形状の略全周から発光が供給されるようになるため、コンバイナー３０Ａの全面をより一層均等に発光させることができる。
【００３０】
図９（ａ）に示す第３の実施形態では、発光体３２をコンバイナー３０に直接取り付けるのではなく、コンバイナー３０と本体１１との間を連結するアーム部３４にＬＥＤ等の小型の発光体３２を設けてある。このような構成とすれば、発光体３２との配線処理が容易になる。
また、図９（ｂ）に示す変形例では、コンバイナー３０の一辺をアーム部３４と連結された保持部３５に支持させ、線状の発光体３２Ａを保持部３５に設けてある。このような構成とすれば、発光体３２との配線処理が容易になるとともに、発光面積を確保して遠方からの視認も容易になる。
【００３１】
図１０（ａ）に示す第４の実施形態では、コンバイナー３０の内部適所（端部等）にＬＥＤ等の発光体３２を埋設し、コンバイナー３０の先端角部を面取加工して傾斜面３６を設けた構成とされる。このような構成とすれば、発光体３２の発光は、コンバイナー３０内を図中に矢印で示すように進んで傾斜面３６から外部へ出光する。このため、傾斜面３６が被撮影者側を向くように設けられていれば、被撮影者側に対して発光状態を認識させることができる。
また、図１０（ｂ）に示すように、傾斜面３６を撮影者側及び被撮影者側の両方を向くように２組設けた構成とすれば、発光体３２の発光は、コンバイナー３０内を図中に矢印で示すように進んで２組の傾斜面３６から外部へ出光するので、被撮影者側及び被撮影者側の両方に対して発光状態を認識させることができる。
【００３２】
図１１に示す第５の実施形態では、コンバイナー３０の内部適所（端部等）にＬＥＤ等の発光体３２を設置し、拡散手段により発光体３２の発光を拡散させてコンバイナー全体が発光するように構成したものである。
図１１（ａ）に示す実施形態では、コンバイナー３０の被撮影者側表面に拡散手段となる拡散シート３７が貼り付けられており、発光体３２で発光されコンバイナー３０の内部を進む光が拡散シート３７に当たって拡散することにより、コンバイナー３０の全体から発光するようになる。また、図１１（ｂ）に示す変形例では、コンバイナー３０の一面に拡散手段となる拡散面３８を形成し、発光体３２の発光を拡散面３８で拡散させることにより、コンバイナー３０の全体が発光するようになっている。
【００３３】
上述したように、本発明によれば、撮影者は、コンバイナー３０のような半透過型光学素子を通して広範な観察範囲の実像を自然に観察し、かつ、コンバイナー３０に設けた発光体３２が実視野上で発光する発光状況を視認してデジタルカメラ１０の状態を把握し、実視野に重畳される画枠電子画像の虚像により所望の撮像範囲（画枠）を容易に認識して撮像することができる。このため、撮影者は字を読むなど目に負担をかけることなく、発光状況から直感的にデジタルカメラ１０の状態を把握するとともに、撮像対象を直接見ながら所望の撮像範囲を直感的に設定して撮影することができるようになる。
【００３４】
また、発光体３２の発光状況を被写体側からも視認可能にすれば、撮影者及び被写体側の両方がデジタルカメラ１０の撮影状態を容易に視認して撮影することができるので、被写体側の撮影に対応する準備が容易になって撮影の失敗等を低減することができる。
また、上述した各実施形態では、携帯情報端末を単独のデジタルカメラとして説明したが、本発明の携帯情報端末は、たとえば上述したデジタルカメラ機能を備えた携帯電話機やＰＤＡ（Personal Digital Assistant ）等の情報端末機器類にも適用可能である。
なお、本発明は上述した実施形態に限定されるものではなく、本発明の要旨を逸脱しない範囲内において適宜変更することができる。
【図面の簡単な説明】
【００３５】
【図１】本発明に係るデジタルカメラの第１の実施形態を示す図で、（ａ）は撮影状態を示す外観斜視図、（ｂ）はは撮影時における画枠表示例を示す図である。
【図２】図１（ａ）のデジタルカメラについて、非撮影時の格納状態を示す外観斜視図である。
【図３】図１（ａ）のデジタルカメラを用いて撮影者が撮影している状態を示す斜視図である。
【図４】図１（ａ）のデジタルカメラに関する半透過型光学素子による画枠表示の説明図である。
【図５】図１（ａ）のデジタルカメラにおいて、画像表示部に表示される画枠電子画像の一例を示す図である。
【図６】第１の実施形態に示したデジタルカメラのブロック図である。
【図７】第１の実施形態に係る発光体の設置例を示す図で（ａ）はコンバイナーの軸支側端部に設置した構成例、（ｂ）は（ａ）の変形例である。
【図８】第２の実施形態として線状とした発光体の設置例を示す図で、（ａ）は軸支側端部に設置した構成例、（ｂ）は上端部側に設置した第１変形例、（ｃ）は下端部側に設置した第２変形例、（ｄ）は上下両端部側に設置した第３変形例、（ｅ）は楕円形の略全周に設置した第４変形例である。
【図９】第３の実施形態として発光体の設置例を示す図で、（ａ）はアーム部に設置した構成例、（ｂ）は保持部に設置した変形例である。
【図１０】第４の実施形態としてコンバイナーの先端角部を面取加工した構成例を示す図で、（ａ）は被撮影者側のみを面取加工した構成例、（ｂ）は撮影者側及び被撮影者側の両方を面取加工した変形例である。
【図１１】第５の実施形態としてコンバイナーに拡散手段を設けた構成例を示す図で、（ａ）は拡散シートを貼り付けた構成例、（ｂ）はコンバイナーに拡散面を形成した変形例である。
【符号の説明】
【００３６】
１０    デジタルカメラ
１１    本体
１１ａ    開口部
１２    筐体
１３    撮影レンズ
１４    シャッタースイッチ
１５ａ，１５ｂ    ズーム操作部
２０    画像表示装置（画像表示部）
２１    表面表示部（表示面）
２３    背面表示部
３０，３０Ａ    コンバイナー（半透過型光学素子）
３１    反射面
３２，３２Ａ    発光体（発光手段）
３４    アーム部
３５    保持部
３６    傾斜面
３７    拡散シート
３８    拡散面
【図１】
2006146086.tif 000003
【図２】
2006146086.tif 000004
【図３】
2006146086.tif 000005
【図４】
2006146086.tif 000006
【図５】
2006146086.tif 000007
【図６】
2006146086.tif 000008
【図７】
2006146086.tif 000009
【図８】
2006146086.tif 000010
【図９】
2006146086.tif 000011
【図１０】
2006146086.tif 000012
【図１１】
2006146086.tif 000013